(57)【要約】【課題】観察者が照明ゾーンごとに任意に有機ＥＬ照明パネルを点灯させることを可能にして、演出効果を高めることができる展示ケースを得る。【解決手段】展示台１と、展示台１上の展示空間３を囲み外側から展示空間３を観察することができる透明パネル２を有してなる。透明パネル２または透明パネル２をつなぐ枠体の少なくとも一部の面に有機ＥＬ照明パネル５が設置されている。有機ＥＬ照明パネル５は複数の照明ゾーンに区分されていて照明ゾーンごとに個別に点灯させることができ、複数の照明ゾーンの点灯を個別に操作する操作部を有していてもよい。【選択図】図１
2014113261.tif 000002
【特許請求の範囲】
【請求項１】
展示台と、展示台上の展示空間を囲み外側から展示空間を観察することができる透明パネルを有してなる展示ケースであって、
上記透明パネルまたは上記透明パネルをつなぐ枠体の少なくとも一部の面に有機ＥＬ照明パネルが設置されている展示ケース。
【請求項２】
展示台と、展示台上の展示空間を囲み外側から展示空間を観察することができる透明パネルを有してなる展示ケースであって、
上記透明パネルの少なくとも一部の面が有機ＥＬ照明パネルで構成されている展示ケース。
【請求項３】
展示台と、展示台上の展示空間を囲み外側から展示空間を観察することができる透明パネルを有してなる展示ケースであって、
上記透明パネルの少なくとも一部に上記展示空間を照明する有機ＥＬ照明パネルが配置され、
上記有機ＥＬ照明パネルは複数の照明ゾーンに区分されていて照明ゾーンごとに個別に点灯させることができ、
上記複数の照明ゾーンの点灯を個別に点灯操作する操作部を有する展示ケース。
【請求項４】
有機ＥＬ照明パネルは、複数の照明ゾーンごとに操作部としてタッチパネルを有する請求項３記載の展示ケース。
【請求項５】
有機ＥＬ照明パネルは、複数の照明ゾーンごとに照明の照度または色彩を変更可能である請求項３または４記載の展示ケース。
【請求項６】
有機ＥＬ照明パネルは、複数の照明ゾーンごとに画像表示可能であり、表示画像を変更可能である請求項３、４または５記載の展示ケース。
【請求項７】
タッチパネルで選択される照明ゾーンの照度または色彩を変更可能な第２の操作部を有する請求項４または５記載の展示ケース。
【請求項８】
有機ＥＬ照明パネルは、展示台上の展示空間の上下に配置されている請求項１乃至７のいずれかに記載の展示ケース。
【請求項９】
透明パネルは、上記透明パネルの面方向に、有機ＥＬ照明パネルとガラス板が交互に配置されることによって構成されている請求項１乃至８のいずれかに記載の展示ケース。
【請求項１０】
有機ＥＬ照明パネルの発光面側に拡散反射板が重ねられて上記有機ＥＬ照明パネルと一体化されている請求項９記載の展示ケース。
【発明の詳細な説明】
【技術分野】
【０００１】
本発明は、美術館や博物館などに設置され、展示物を展示する展示ケースに関するもので、特にその照明を工夫したものである。
【背景技術】
【０００２】
美術館や博物館などで使用される展示ケースは、展示物を載せる展示台と、展示台に載せられる展示物を囲み外側から展示物を観察することができる透明パネルを有してなる。また、多くの展示ケースにおいて、展示物を照明する照明装置が内蔵されている。次に、照明装置を内蔵した従来の展示ケースのいくつかの例について説明する。
【０００３】
特許文献１には、展示ケース本体内に中空状の照明収容体内に照明器具が配置され、照明収容体はその内部空間を収容空間と遮断して設け、上記内部空間の空気を外部に排出する排気手段を設けた展示ケースが記載されている。蛍光灯などの照明器具は使用中に熱を発生し、展示品の保存に悪影響を及ぼすため、照明器具から発生する熱を展示ケース外に排出しようとするものである。
【０００４】
特許文献２には、展示台と展示台の周囲を囲む透明パネルと透明パネルの上端で形成される開口を覆う上面パネルを有してなる展示ケースが記載されている。上記上面パネルの少なくとも一部を光透過性にし、この光透過性の部分に誘導光板を配置し、誘導光板の上面に配置した照明装置からの照明光を、誘導光板の下面から展示品に向かって照射する構成になっている。照明装置を設けても、圧迫感を少なくすることができる旨記載されている。
【０００５】
以上説明した各特許文献記載の展示ケースによれば、以下のような技術的課題がある。
１．照明装置を構成する光源や光源を駆動するユニットなど、物理的に嵩張る部材が必要であり、展示空間の容積に対する照明装置の占める体積の割合が高くなる難点がある。
２．光源から発生する熱が展示品に伝わらないような構造にする必要があり、この点も展示空間の容積を制限する要因になっている。
３．照明光が一定の方向から展示品に向かうため、展示品に影が生じ、展示品の全体像を把握しにくい。
４．展示品ごとに効果的に照明できるように、照明装置の位置を変更しようとしても不可能である。
【０００６】
以上述べたような問題点を解決するために、照明装置として、有機エレクトロルミネッセンス（以下「有機ＥＬ」という）照明パネルを用いるとよい。有機ＥＬ照明パネルは、面発光である、透明である、薄板状である、といった特徴を有しているので、上記１．２．３．に挙げた技術的課題を解決することができる。また、有機ＥＬ照明パネルは薄板状であり、特別な駆動ユニットも不要であるから、設置位置を変更することは容易であり、上記４．に挙げた技術的課題を解決することもできる。
【０００７】
有機ＥＬ照明パネルを用いた照明の例として、特許文献３に記載されている航空機の客室照明装置がある。この客室照明装置は、有機ＥＬ照明パネルを、航空機の客室の天井部に、また、窓パネルの上部に、基体の軸線に平行に配置したものである。客室内をいくつかのゾーンに分け、制御システムにより、各ゾーン内の有機ＥＬ照明パネルの色彩を変更することもできるようになっている。
【０００８】
特許文献３に記載されている航空機の客室照明装置は、有機ＥＬ照明パネルを展示ケースに適用することによって得ることができる効果を示唆するものである。しかし、展示ケースには、航空機の客室照明装置にはない独特の演出が求められ、独特の演出を実現するための特徴ある構成を工夫する必要がある。
【０００９】
演出効果を持たせた展示ケースの例として特許文献４記載の発明がある。特許文献４記載の発明は、展示台の上の展示空間を透光性のパネルで囲み、背面側のパネルを液晶パネルなどの透過率可変パネルで構成したものである。展示ケースの正面側に人が近づくとこれを人感センサが検知し、透過率可変パネルを光透過不可能状態にしてプロジェクタから透過率可変パネルに展示物の説明などを投射するものである。
【００１０】
特許文献４記載の発明によれば、展示品に対応した演出効果を得ることができる。しかし、特許文献４記載の発明によれば、透過率可変パネル、人感センサ、プロジェクタなどを組み込む必要があり、構成が複雑になる。また、照明装置に関しては記載がない。
【先行技術文献】
【特許文献】
【００１１】
【特許文献１】特開２００１−２０４５９５号公報
【特許文献２】特開２０１１−１９６８２号公報
【特許文献３】特開２０１１−１４０２６４号公報
【特許文献４】特開２０１０−４６２５９号公報
【発明の概要】
【発明が解決しようとする課題】
【００１２】
本発明は、有機ＥＬ照明パネルによる照明装置を備えた展示ケースであって、構成が複雑化することなく演出効果を高めることができる展示ケースを提供することを目的とする。
【課題を解決するための手段】
【００１３】
本発明は、
展示台と、展示台上の展示空間を囲み外側から展示空間を観察することができる透明パネルを有してなる展示ケースであって、
上記透明パネルまたは上記透明パネルをつなぐ枠体の少なくとも一部の面に有機ＥＬ照明パネルが設置されていることを最も主要な特徴とする。
【発明の効果】
【００１４】
本発明に係る展示ケースよれば、展示空間の照明装置として有機ＥＬパネルを用いたため、有機ＥＬ照明パネルを点灯することにより演出効果を高めることができるとともに、展示ケースの構成を簡素化することができる。
【図面の簡単な説明】
【００１５】
【図１】本発明に係る展示ケースの一実施例を示す斜視図である。
【図２】本発明に係る展示ケースの別の実施例を示す斜視図である。
【図３】本発明に係る展示ケースのさらに別の実施例を示す斜視図である。
【図４】本発明に係る展示ケースのさらに別の実施例を示す斜視図である。
【図５】本発明に係る展示ケースのさらに別の実施例を示す斜視図である。
【図６】本発明に係る展示ケースのさらに別の実施例を示す斜視図である。
【図７】本発明に係る展示ケースのさらに別の実施例を示す斜視図である。
【図８】上記実施例中の有機ＥＬパネルの例を示す正面図である。
【図９】本発明に係る展示ケースに適用可能な照明制御回路例を示すブロック図である。
【図１０】本発明に係る展示ケースに適用可能な照明制御回路の別の例を示すブロック図である。
【図１１】上記照明制御回路による照明制御動作を示すフローチャートである。
【図１２】本発明に係る展示ケースに適用可能な有機ＥＬパネルの別の例を示す正面図である。
【図１３】本発明に係る展示ケースに適用可能な有機ＥＬパネルのさらに別の例を示す正面図である。
【図１４】上記有機ＥＬパネルの横断面図である。
【図１５】有機ＥＬパネルを用いた展示ケースのさらに別の実施例を示す斜視図である。
【図１６】本発明に係る展示ケースに適用可能な展示ボードの例を示す斜視図である。
【発明を実施するための形態】
【００１６】
以下、本発明に係る展示ケースの各種実施例を、図面を参照しながら説明する。
【実施例１】
【００１７】
図１に示す展示ケースは、展示物４を載せることができる展示台１と、展示台１上の展示空間３を囲み外側から展示空間３を観察することができる透明パネル２を有してなる。透明パネル２は展示空間３の周囲を囲む４枚のパネルと、これらのパネルの上端開口を塞ぐ上パネルからなる。上記４枚の透明パネル２および上パネルは枠体に嵌められ、上記枠体を介して透明パネル２および上パネルがつながれた構成であってもよい。上パネルは透明のパネルであって、この実施例では上パネルが有機ＥＬ照明パネル５からなり、照明光の発光面を下向きにして取り付けられて展示空間３を照明するようになっている。
【００１８】
有機ＥＬ照明パネル５は複数の照明ゾーンに区分されていて、照明ゾーンごとに個別に点灯させることができる。この実施例では、各照明ゾーンを点灯操作する操作部が、各照明ゾーンに重ねられたタッチパネルで構成されている。展示空間３の周囲を囲む４枚の透明パネル２と上記上パネル、さらには、上記枠体の面の全面に有機ＥＬ照明パネルを配置し、一部に有機ＥＬ照明パネルを配置してもよい。また、展示空間３の周囲を囲む４枚の透明パネル２または上記上パネルの面の全面を有機ＥＬ照明パネルで構成してもよいし、一部を有機ＥＬ照明パネルで構成してもよい。
【００１９】
上記実施例によれば、照明光源を、面発光である有機ＥＬ照明パネルとしたことにより、展示物に影が生じない、光源の発熱が少ないため展示物の変質が少ない、照明装置の構成が簡単で嵩張らない、といった効果を得ることができる。また、展示物の観察者は複数の照明ゾーンのうち任意の照明ゾーンを個別に点灯させることにより、様々な演出効果のもとに展示物を観察することができる。
【実施例２】
【００２０】
図２に示す展示ケースは、展示台１１と、展示台１１上の展示空間１３を囲み外側から展示空間１３を観察することができる透明パネル１２を有してなる。透明パネル１２は展示空間１３の周囲を囲む４枚のパネルと、これらのパネルの上端開口を塞ぐ上パネルからなる。
【００２１】
この実施例が実施例１と異なる点は、展示空間１３を上下に仕切るガラス板１６が透明パネル１２の内面に固着され、ガラス板１６の下方に、前下がりに傾斜した反射板１７が設けられていることである。ガラス板１６の上に展示物１４が載せられる。また、照明装置としての有機ＥＬ照明パネル１５が展示台１１の上面、したがって展示空間１３の下端に配置されていることである。４枚の透明パネル１２および上パネルの一部または全部を有機ＥＬ照明パネルで構成してもよい。
【００２２】
上記実施例２によれば、有機ＥＬ照明パネル１５の照明光で照明される展示物１４の底部を、反射板１７を介して観察することができる。その他、第１の実施例と同様の効果を得ることができる。
【実施例３】
【００２３】
図３に示す展示ケースは、展示物２４を載せることができる展示台２１と、展示台２１上の展示空間２３を囲み外側から展示空間２３を観察することができる透明パネル２２を有してなる。透明パネル２２は、展示空間２３の周囲を囲む４枚のパネルと、これらのパネルの上端開口を塞ぐ上パネルからなる。展示空間２３を上下に仕切るガラス板２７が透明パネル２２の内面に固着されている。ガラス板２７に展示物２４が載せられる。
【００２４】
この実施例が実施例２と異なる点は、ガラス板２７より下方の透明パネルが、透明パネル２２の厚さよりも厚い厚板ガラス２６で構成されていることである。また、上端のパネルおよび展示台２１の上面がそれぞれ有機ＥＬ照明パネル２５，２８で構成されていることである。上側の有機ＥＬ照明パネル２５は発光面を下向きに、下側の有機ＥＬ照明パネル２８は発光面を上向きにして配置されている。
【００２５】
上記実施例３によれば、展示物２４の下側の周囲が厚板ガラス２６で構成され、展示物２４が上下から有機ＥＬ照明パネル２５、２８で照明されるため、展示物２４が空中に浮いているかのような効果を得ることができる。また、ガラス板２７を通して展示物２４の底部を観察することができる。有機ＥＬ照明パネル２５，２８は個別に点灯させることができる。その他の構成および効果は前述の実施例の構成および効果と同じである。
【実施例４】
【００２６】
図４に示す展示ケースは、展示物３６を載せることができる展示台３１と、展示台３１上の展示空間３３を囲み外側から展示空間３３を観察することができる透明パネル３２を有してなる。透明パネル３２は展示空間３３の周囲を囲む４枚のパネルと、これらのパネルの上端開口を塞ぐ上パネルからなる。展示空間３３を上下に仕切るガラス板４０が透明パネル３２の内面に固着されている。ガラス板４０にも展示物３４が載せられる。
【００２７】
上記上パネルには有機ＥＬ照明パネル３５が下向きに、ガラス板４０の上面には有機ＥＬ照明パネル３８が上向きに、ガラス板４０の下面には有機ＥＬ照明パネル３９が下向きに、展示台３１の上面には有機ＥＬ照明パネル３７が上向きに配置されている。前記実施例と同様に、有機ＥＬ照明パネルを複数の照明ゾーンに分け、照明ゾーンごとに個別に点灯させるなど、前記実施例と同様の構成を採用してもよい。
【００２８】
展示空間を２段にした従来の展示ケースでは、上下の展示物に照明光を照射することは難しかったが、上記実施例４によれば、上下の展示物を、陰を作ることなく照明することができる。
【実施例５】
【００２９】
図５に示す実施例は、前記実施例１と同様の構成において、有機ＥＬ照明パネル５への配線処理を工夫したものである。すなわち、展示空間を囲む４枚の透明パネル２の端縁が互いに接合することによって直角をなす４箇所の角隅部のうち２箇所に、有機ＥＬ照明パネル５に電源を供給するための配線部６，７を設けたものである。上記角隅部はもともと展示物４で占有されることのないデッドスペースであり、このデッドスペースを利用して配線部６，７を設けた。また、有機ＥＬ照明パネルの電源供給配線はもともと細線であるため、外観を害することなく配線部６，７を設けることができる。
【実施例６】
【００３０】
技術の進歩によって有機ＥＬ照明パネルは湾曲させることが可能になり、球面状に形成することも可能になってきている。そこで、図６に示す実施例６のように、展示物４４を載せることができる展示台４１の上に、球面をなす透明パネルを兼ねた有機ＥＬ照明パネル４２を取り付ける。有機ＥＬ照明パネル４２の内部空間は展示空間４３となっていて、展示台４１の上に載せられる展示物４４は展示空間４３にあり有機ＥＬ照明パネル４２で覆われている。有機ＥＬ照明パネル４２は透明であるから有機ＥＬ照明パネル４２を通して展示物４４を観察することができる。
【００３１】
有機ＥＬ照明パネル４２の発光面は展示空間４３に向いていて、展示空間４３内の展示物４４を照明することができる。展示空間４３は複数の照明ゾーンに区分されていて照明ゾーンごとに個別に点灯させるようにしてもよい。上記実施例６によっても、前記実施例と同様の効果を得ることができる。
【実施例７】
【００３２】
図７に示す実施例７は、有機ＥＬ照明パネルの点灯、消灯操作をおこない、さらに、照度または色彩の変更操作を行う操作部５７を設けた実施例である。有機ＥＬ照明パネルの点灯操作を行う前記タッチパネルからなる操作部を第１の操作部とし、操作部５７を第２の操作部とする。図７に示す展示ケースは、展示物５４を載せることができる展示台５１と、展示台５１上の展示空間５３を囲み外側から展示空間５３を観察することができる透明パネル５２を有してなる。透明パネル５２は展示空間５３の周囲を囲む４枚のパネルと、これらのパネルの上端開口を塞ぐ上パネルからなる。
【００３３】
展示台５１の前面右上部に上記第２の操作部５７が配置されている。４枚の透明パネル５２のうち左側の透明パネルに有機ＥＬ照明パネル５５が配置されている。有機ＥＬ照明パネル５５は、図８に示すように上下左右４つの照明ゾーン５５１，５５２，５５３，５５４に区分されている。上記各照明ゾーンの点灯、消灯は、各照明ゾーンに重ねて設けられているタッチパネルによって操作することができ、また、第２の操作部５７によっても操作することができる。
【００３４】
有機ＥＬ照明パネルは画像を表示することも可能である。そこで、実施例７では、前面に位置する透明パネル５２の一部または全部を有機ＥＬ照明パネルとし、このパネルに、第２の操作部５７の操作によって展示物５４にまつわる説明などの表示部５６が設けられている。上記各照明ゾーン５５１，５５２，５５３，５５４を構成する有機ＥＬ照明パネルに文字や画像などを表示させることも可能である。
【００３５】
上記実施例７によれば、第２の操作部５７の操作によって、有機ＥＬ照明パネル５５をその照明ゾーンごとに点灯させ、あるいは照度を変更し、さらには色彩を変更することができる。第２の操作部５７の操作により、有機ＥＬ照明パネル５５全体として、点灯操作、照度の変更操作、色彩の変更操作を行うこともできる。かかる操作を行うことにより、展示物５４を観察する者の好みに応じた照明効果を得ることができる。
【実施例８】
【００３６】
上記実施例７の展示ケースに適用可能な照明制御回路の例を図９に示す。図９において、処理ユニット１０１は、マイクロコンピュータ、ＣＰＵ、あるいはこれらに準じる処理機能を備えていて、機能部分として、選択情報判断部６１、メモリ部６２、通信部６３、表示部６４を備えている。処理ユニット１０１には、操作部１０２から信号が入力される。操作部１０２は有機ＥＬ照明パネルの各照明ゾーンに対応するタッチパネルおよび前述の第２の操作部を含む。選択情報判断部６１は、操作部１０２によってどの照明ゾーンが選択されているかを判断する。メモリ部６２は、タッチパネル情報を記録していて、タッチパネルが押されたときどの照明ゾーンに該当するかを判別するのに必要な部分である。通信部６３は、操作部１０１の操作によって、照明ゾーンごとの点灯、照度あるいは色彩に関する制御信号を出力する部分である。表示部６４は、例えば、図７に示す実施例における第２の操作部５７に設けられていて、各照明ゾーンの動作状態などを表示する部分である。
【００３７】
処理ユニット１０１には、電源５８から処理ユニット１０１の動作に必要な電力が供給される。通信部６３から出力される制御信号は、オン／オフ制御部６５に入力され、オン／オフ制御部６５は、前記有機ＥＬ照明パネル５５の各照明ゾーンの駆動電源６６をオン／オフ制御する。なお、有機ＥＬ照明パネル５５の各照明ゾーンの照度や色彩を制御する場合は、それぞれの制御部によって上記各照明ゾーンの照度や色彩が制御される。
【００３８】
図９に示す照明制御回路による有機ＥＬ照明パネル５５の点灯制御動作を、図１１を参照しながら説明する。図１１では、各動作ステップにＳ１，Ｓ２,…のように符号を付している。まず、タッチパネルが操作されることによって、いずれかの照明点灯部分、すなわち、いずれかの照明ゾーンが選択されることを待つ（Ｓ１）。いずれかの照明ゾーンが選択されるとステップＳ２に進み、訂正ボタンが押されたか否かを判断する。訂正ボタンは、図７に示す例において操作部５７に設けられている。訂正ボタンが押されるとステップ１に戻り、前記タッチパネル操作がリセットされる。訂正ボタンが押されなければステップＳ３に進み、ＥＮＴＥＲボタンが押されたか否かを判断する（Ｓ３）。
【００３９】
ＥＮＴＥＲボタンが押されると、ステップＳ１で選択した照明ゾーンの有機ＥＬ照明パネルのみが点灯し照明光を放射する。ステップＳ３でＥＮＴＥＲボタンが所定時間押されなければステップ１に戻り、照明制御動作がリセットされる。選択した照明ゾーンが点灯した後、点灯場所変更ボタンが押されたか否かの判断ステップ（Ｓ５）に進む。点灯場所変更ボタンは図７に示す例において操作部５７に設けられている。点灯場所変更ボタンが押されるとステップ１に戻り、全ての動作がリセットされる。点灯場所変更ボタンが押されなければ上記点灯動作が維持される。
【００４０】
図１１に示す動作例では、第１の操作部としてのタッチパネル操作と第２の操作部としての操作部５７の操作の組み合わせで、有機ＥＬ照明パネルの点灯制御を行っている。有機ＥＬ照明パネルの別の点灯制御として、各照明ゾーンに対応するタッチパネルを押すことによって該当する照明ゾーンを点灯させ、再度上記タッチパネルを押すことによって上記照明ゾーンを消灯させるように、制御フローを構成してもよい。
【実施例９】
【００４１】
上記実施例７の展示ケースに適用可能な照明制御回路の別の例を図１０に示す。この照明制御回路は、図７に示す実施例における表示部５６での表示データを制御する部分である。図１０において、処理ユニット１１１は、図９に示す例と同様に、選択情報判断部６１、メモリ部６２、通信部６３、表示部６４を備えている。処理ユニット１１１には操作部１０２から操作信号が入力され、電源５８から動作電源が供給される。通信部６３は表示部５６との間で通信しながら表示部５６に所定の表示データを送信する。所定の表示データは、予めメモリ部６２に記録されている。表示部５６で表示する情報は、前述のとおり、展示物５４にまつわる説明などである。
【００４２】
表示部５６で所定の情報を表示すべく操作部１０２を操作すると、メモリ部６２から表示すべき情報が読み出され、通信部６３を介して、有機ＥＬ照明パネルからなる表示部５６に表示される。
【００４３】
［有機ＥＬ照明パネルの具体例］
現状では有機ＥＬ照明パネルのコストが高いため、展示ケース全体のコストに占める有機ＥＬ照明パネルのコストをできるだけ抑える工夫をすることが望ましい。そこで、図１２に示す有機ＥＬ照明パネル８０の例のように、有機ＥＬパネル８２とガラス板８１を交互に配置するとよい。有機ＥＬパネル８２とガラス板８１は帯状になっていて、パネル面方向に交互に配置されて縞（ストライプ）状の外観を呈している。かかる構成の有機ＥＬ照明パネル８０によれば、面発光に準じた照明光を得ることができ、これを展示ケースの照明装置に適用することにより、前述の効果を得ることができる。
【００４４】
図１３は有機ＥＬ照明パネルの別の例を示す。図１３において、有機ＥＬ照明パネル８４は、有機ＥＬパネル８６を格子縞（チェック）状に配置したものである。有機ＥＬ照明パネル８４は、図１４に示すように、拡散反射板８７の上に正方形状の有機ＥＬパネル８６を格子縞状に配置し、その上にガラス板８５を載せている。拡散反射板８７とガラス板８５で有機ＥＬパネル８６が挟まれた形でこれらが一体化され、有機ＥＬ照明パネル８４が構成されている。
【００４５】
図１３、図１４に示す有機ＥＬ照明パネル８４も、高価な有機ＥＬパネルを節約することができ、コストを削減することができる。拡散反射板８７を備えていることにより、広い範囲をむらなく照明することができる。
【００４６】
図１２に示す有機ＥＬ照明パネル８０も、図１３に示す有機ＥＬ照明パネル８４と同様に、ガラス板のような透明パネルと一体化するとよい。このような構造の有機ＥＬ照明パネルは、それ自体が、展示空間を囲む透明パネルを兼ねることができる。また、図１２に示す有機ＥＬ照明パネル８０も、図１３に示す有機ＥＬ照明パネル８４と同様に、発光面側に拡散反射板が重ねられて一体化された構造にするとよい。
【実施例１０】
【００４７】
図１５に示す実施例は、本発明に係る展示ケースをショーケースとして使用することを想定したものである。図１５において、展示ケース９０は、展示台９１、透明パネル９２、有機ＥＬ照明パネル９５を主な構成部材として有している。展示台９１には、例えば冷却装置が組み込まれていて、展示台９１の上には冷蔵食品や冷凍食品などが載せられる。展示台９１の上には屋根型の透明パネル９２が被せられ、透明パネル９２の内部に展示空間９３が形成されている。透明パネル９２の頂部には有機ＥＬ照明パネル９５が配置され、展示空間９３内を照明するようになっている。
【００４８】
図１５に示す実施例によれば、照明装置として有機ＥＬ照明パネル９５を用いたことにより、有機ＥＬ照明パネル９５からの発熱が少なく、展示空間９３内の冷却効果を高めることができる。有機ＥＬ照明パネル９５は、照度、色彩などを変更することができるため、展示品の特性に適合した照明効果を演出し、購買意欲を高めることができる。
【００４９】
［有機ＥＬ照明パネルの応用例：展示ボード］
本発明に用いる有機ＥＬ照明パネルは、その形態を工夫することによって用途を広げることができる。図１６に示す展示ボード９６はその一つで、複数の有機ＥＬ照明パネル９７を蝶番９８で連結し、ついたてと同じ形態にしたものである。各有機ＥＬ照明パネル９７は、個別に点灯させることも、一斉に同時に点灯させることもできる。展示物の背後あるいは側方などに展示ボード９６を立てておけば、展示物を効果的に照明することができる。各有機ＥＬ照明パネル９７に展示物の説明、広告、その他の情報を表示してもよい。
【産業上の利用可能性】
【００５０】
本発明に係る展示ケースは、美術館や博物館などにおいて美術品や歴史的な資料などを展示するケースのみでなく、店舗において商品を陳列するショーケースとして適用可能であり、その他各種用途に適用可能である。
【符号の説明】
【００５１】
１    展示台
２    透明パネル
３    展示空間
５    有機ＥＬ照明パネル
１１    展示台
１２    透明パネル
１３    展示空間
１５    有機ＥＬ照明パネル
２１    展示台
２２    透明パネル
２３    展示空間
２５    有機ＥＬ照明パネル
５５    有機ＥＬ照明パネル
５７    （第２）操作部
【図１】
2014113261.tif 000003
【図２】
2014113261.tif 000004
【図３】
2014113261.tif 000005
【図４】
2014113261.tif 000006
【図５】
2014113261.tif 000007
【図６】
2014113261.tif 000008
【図７】
2014113261.tif 000009
【図８】
2014113261.tif 000010
【図９】
2014113261.tif 000011
【図１０】
2014113261.tif 000012
【図１１】
2014113261.tif 000013
【図１２】
2014113261.tif 000014
【図１３】
2014113261.tif 000015
【図１４】
2014113261.tif 000016
【図１５】
2014113261.tif 000017
【図１６】
2014113261.tif 000018